(57)【要約】【課題】  配管などを切断しなくても、配管の内外面のような曲面を有する測定対象物の表面汚染を直接、効率よく測定できるようにする。【解決手段】  放射線検出部１０と放射線計測部１２とが別体となっており、それらの間をケーブル１４で接続する形式の放射能測定装置である。放射線検出部は、細長平板状の放射線検出ユニット１６を複数本、幅方向に配列し、被測定面形状に応じた取付部面間角度を有する連結金具１８により、前記放射線検出ユニットが着脱自在に結合されている。取付部面間角度の異なる連結金具を用いることによって、平面でも任意の曲面でも、被測定面形状に沿って測定できる。【選択図】  図１
2005241595.tif 000002
【特許請求の範囲】
【請求項１】
放射線検出部と放射線計測部とが別体となっており、それらの間をケーブルで接続する形式の放射能測定装置において、前記放射線検出部は、細長平板状の放射線検出ユニットを複数本、幅方向に配列し、被測定面形状に応じた取付部面間角度を有する連結金具により、前記放射線検出ユニットを着脱自在に結合する構造であることを特徴とする被測定面形状に適合可能な放射能測定装置。
【請求項２】
連結金具は、帯状金属板にネジ挿通用の穴及び／又は切欠きが配列形成され、必要な取付部面間角度を有するように設定した構造であり、各放射線検出ユニットの先端側と基端側の２箇所でネジにより固定される請求項１記載の放射能測定装置。
【発明の詳細な説明】
【技術分野】
【０００１】
本発明は、多種多様な曲面形状を有する測定対象物に適合可能な放射能測定装置に関するものである。更に詳しく述べると本発明は、細長平板状の複数本の放射線検出ユニットを幅方向に配列し、被測定面形状に応じた取付部面間角度を有する連結金具を用いて結合して放射線検出部を構成することにより、曲率の異なる曲面など様々な被測定面形状に対応できるようにした放射能測定装置に関するものである。
【背景技術】
【０００２】
原子力関連施設等からは、様々な形状の持ち出し物品や廃棄物などが数多く発生する。前者としては、管理区域内で使用した装置、機器類、足場材などがあり、後者としては、施設が老朽化して改装あるいは解体を行った際に発生する廃棄物などが含まれる。これらは、放射能レベルによって分類し、廃棄あるいは保管などの一定の処理をすることが義務付けられている。このため、種々の放射能測定装置を用いて廃棄物の放射能汚染の有無、及びその程度を測定している。その際、表面汚染の測定には、放射能測定装置（表面汚染サーベイメータ）が広く用いられており、測定対象面全面を測定している。
【０００３】
既存の表面汚染サーベイメータの検出面形状は、殆どがフラット（平坦面）である。そのため、測定対象物の表面が平面形状の場合（板材など）についてはあまり問題ないが、曲面などの場合（管類や缶類など）には、そのままでは測定に手間がかかり、測定できない場合もある。そこで、測定対象物が円筒形のように表面が曲面の場合、特に飛程が短いα線の測定については、検出面の形状をその被測定面形状に沿った形に改造する方法が採られてきた。例えば特許文献１には、測定対象物に応じて検出面形状を変えた例が示されている。
【０００４】
しかし、従来型の表面汚染サーベイメータは、その検出面を測定対象物の形状に合わせて改造したとしても、測定対象物が異なると対応できなくなるため、様々な検出面形状をもつ多種類の表面汚染サーベイメータを用意しなければならないことになり、現実的ではない。そこで廃棄物などの測定では、殆どの場合、その測定対象物を切断して（例えば配管を縦割りに切断するなど）、検出面形状が平面でも測定し易く、測定可能とするといった処置を施していた。
【特許文献１】特開平９−１５９７６９号公報
【発明の開示】
【発明が解決しようとする課題】
【０００５】
本発明が解決しようとする課題は、従来方式では配管などを縦割りに切断しなければ、配管の内外面のような曲面を有する測定対象物の表面汚染を直接測定できない点、そのため前処理や測定に時間がかかるなど測定効率が非常に悪い点、などである。
【課題を解決するための手段】
【０００６】
本発明は、放射線検出部と放射線計測部とが別体となっており、それらの間をケーブルで接続する形式の放射能測定装置において、前記放射線検出部は、細長平板状の放射線検出ユニットを複数本、幅方向に配列し、被測定面形状に応じた取付部面間角度を有する連結金具により、前記放射線検出ユニットを着脱自在に結合する構造であることを特徴とする被測定面形状に適合可能な放射能測定装置である。
【０００７】
ここで連結金具は、帯状金属板にネジ挿通用の穴及び／又は切欠きが配列形成され、必要な取付部面間角度を有するように設定した構造とし、各放射線検出ユニットの先端側と基端側の２箇所でネジにより固定する構成が好ましい。なお、被測定面形状が平面の場合には、連結金具は平板状でよい。被測定面形状が曲面の場合には、隣り合う取付部の間の位置で所定の角度に折り曲げた構造とする。
【発明の効果】
【０００８】
本発明に係る放射能測定装置は、複数本の細長板状の放射線検出ユニットを幅方向に連結金具で連結した構成の放射線検出部を有するため、径の異なる配管やドラム缶の内表面及び外表面でも、必要な取付部面間角度をもつ連結金具に交換することにより、測定対象物の表面形状に沿った形状に各放射線検出ユニットを配列保持できる。そのため、径の異なる配管類やドラム缶の内表面及び外表面の表面汚染を直接測定できる。また測定に際して、配管の縦割り切断などの前処理作業が不要なため、全体的な測定効率は著しく向上する。
【０００９】
本発明で用いる各放射線検出ユニットは、細長板状であり、検出面形状が平面でよいために、校正時に使用する標準線源については市販品が使用できる。従って、様々な曲面に適合可能な放射能測定装置でありながら、線源による校正は一般の表面汚染サーベイメータと同様の要領で容易に実施することができる。
【発明を実施するための最良の形態】
【００１０】
本発明の放射能測定装置は、図１に示すように、放射線検出部１０と放射線計測部１２とを別体で組み合わせ、それらの間をケーブル１４で接続して、放射線検出部１０で検出したα線による計測信号を放射線計測部１２に伝送し計測する構成である。本発明では、放射線検出部１０は、複数本の放射線検出ユニット１６を幅方向に配列し、連結金具１８を用いて結合する構造である。この連結金具１８は、各放射線検出ユニット１６を取り付ける部分の面間角度が被測定面形状に応じた角度に成形されている。従って、取付部面間角度、あるいは取付部間隔の異なる任意の連結金具を用いる（交換する）ことによって、平面測定（取付部面間角度＝１８０度）から任意の曲率の曲面測定まで対応可能となり、その点に本発明の最大の特徴がある。
【００１１】
放射能測定装置は、任意の方式、任意の構造であってよいが、例えばシンチレータを備えた放射線検出部と、光電子増倍管を備えた放射線計測部との組み合わせとし、それらの間を波長変換光ファイバケーブルで接続し、前記放射線検出部で検出したα線による計測信号（光信号）を光ファイバで直接伝送するような構成が望ましい。この構成は、比較的嵩張る光電子増倍管を放射線計測部側に組み込むことで、放射線検出ユニットの形状を比較的自由に設計できるようになり、大幅な小型化・細長薄型化（例えば厚さ１０ｍｍ程度以下）が可能となるからである。そのため、連結金具による配列構造が特に有効となり、配管やドラム缶などの曲面形状の測定対象物についても内面と外面の汚染を容易に測定することが可能となる。
【実施例】
【００１２】
図２は、本発明に係る放射能測定装置で用いる放射線検出部の一実施例を示す説明図である。同図において、Ａは平面を、Ｂは正面を、Ｃは側面を表し、Ｄは連結金具の詳細を示している。放射線検出部１０は、シンチレータを備えた細長平板状の複数本（この実施例では３本）の放射線検出ユニット１６を、幅方向に配列し、連結金具１８で結合することで一体化した構造である。
【００１３】
連結金具１８は、各放射線検出ユニット１６を取り付ける部分の面間角度が被測定面形状に応じた角度（この実施例では１８０度、即ち平板状）に成形される。この連結金具１８は、帯状金属板の中央にネジ挿通用穴２０が、また両側にネジ挿通用切欠き２２が形成された形状をなし、各放射線検出ユニット１６の先端部と基端側の２箇所でネジ２４により固定される構造となっている。各放射線検出ユニット１６の背面にネジ締め付け部２６を設けておき、ここでは手回しネジ（ドライバレススクリュー）をネジ挿通用穴２０及び両側にネジ挿通用切欠き２２に通して締め付けることにより、簡単に連結金具１８と放射線検出ユニット１６を結合できるようにしてある。この構造によって、簡単に且つ手早く組み立てることが可能となる。
【００１４】
なお、図２に示す構造は平面測定用であるため、連結金具１８は平板状である。いずれか１本の放射線検出ユニット（本実施例では中央に位置する放射線検出ユニット）１６の基端寄りの位置にハンドル２６を取り付ける。測定者がハンドル２６を握れば、放射線検出部１０を被測定面に沿って円滑に動かし、測定することができる。放射線検出ユニット１６を必要本数配列することで、容易に大面積化できることになる。
【００１５】
図３は連結金具の他の例を示している。Ａは取付部面間角度（折り曲げ角度）を９０度とした例、Ｂは取付部面間角度（折り曲げ角度）を１２０度とした例、Ｃはそれよりも大きな角度に折り曲げた例である。いずれも右側の図が平面を表し、左側の図が断面を表している。これら、折り曲げ角度と長さを被測定面形状に応じて変えた複数種類の連結金具１８を用意しておくことによって、様々な測定対象物に対応することができる。測定状況を図４に示す。所定の角度に折り曲げた連結金具１８の内側に放射線検出ユニット１６を取り付ければ、管３０の外面の測定が可能となるし（Ａ，Ｃ，Ｅ参照）、所定の角度に折り曲げた連結金具１８の外側に放射線検出ユニット１６を取り付ければ、管３２の内面の測定が可能となる（Ｂ，Ｄ，Ｆ参照）。
【００１６】
以上のことから分かるように、連結金具１８を交換することにより、各放射線検出ユニット１６を任意の曲面に沿って密着するように配置することができ、径の異なる配管や、ドラム缶の内表面及び外表面などを、曲面に沿って測定することが可能となる。これによって、配管や足場用パイプ、ドラム缶、機器類などの表面汚染も効率よく測定できるようになる。
【００１７】
上記の実施例では、３本の放射線検出ユニットを連結しているが、検出面をより広面積化したい場合（特に平面の測定などの場合）にはより多くの本数の放射線検出ユニットを連結すればよい。連結金具の折り曲げ角度は自由に設定してよいし、長さなども適宜変更してよい。取り付け構造は、ねじによる締め付け方式が最も簡便で好ましいが、その他、留め金などを用いる構成でもよい。連結金具に形成するネジ挿通用の穴や切欠きは、穴のみあるいは切欠きのみでもよいが、中央を穴、両側を切欠きとすると、穴で仮保持でき、切欠きで容易に着脱できる利点が生じる。
【００１８】
本実施例の各放射線検出ユニットでは、放射性物質から放射されたα線は、遮光フィルムを透過してＺｎＳ（Ａｇ）シンチレータ層に到達し、シンチレーション光を発生する。発生したシンチレーション光は、直接、もしくはライトガイド内を伝達して波長変換光ファイバに達し、受光や伝送に適した波長に変換され、該波長変換光ファイバを伝搬していき、波長変換光ファイバケーブルを通って、放射線計測部の光電子増倍管に至るようにしている。なお、放射能測定装置において放射線を計測する回路構成は、従来のものと同様であってよい。
【図面の簡単な説明】
【００１９】
【図１】本発明に係る放射能測定装置を示す概念図。
【図２】本発明で用いる放射線検出部の一実施例を示す説明図。
【図３】連結金具の説明図。
【図４】管の外面及び内面の測定状況の説明図。
【符号の説明】
【００２０】
１０  放射線検出部
１２  放射線計測部
１４  ケーブル
１６  放射線検出ユニット
１８  連結金具
【図１】
2005241595.tif 000003
【図２】
2005241595.tif 000004
【図３】
2005241595.tif 000005
【図４】
2005241595.tif 000006